(57)【要約】【課題】容量が大きなメッセージを多数の宛先に配信する際に生じるトラフィックの増大を抑制する。【解決手段】メッセージ配信システム２であって、メッセージ配信受付部２１は、メッセージの配信要求を受け付け、当該メッセージをヘッダ部とメッセージ本文に分割し、ヘッダ部を宛先解決部２２に送信し、メッセージ本文をメッセージ保存部２３に記憶し、宛先解決部２２は、受信したヘッダ部に設定された宛先のデバイスが接続されたメッセージ配信部２４を特定し、特定したメッセージ配信部２４にヘッダ部を送信し、メッセージ配信部２４は、ヘッダ部を受信すると、メッセージ保存部２３からメッセージ本文を読み出し、読み出したメッセージ本文とヘッダ部とを結合してメッセージを再構成し、当該メッセージを宛先の各デバイス３に配信する。【選択図】図３
2014174860.tif 000002
【特許請求の範囲】
【請求項１】
メッセージ配信システムであって、
メッセージ配信受付部と、宛先解決部と、複数のメッセージ配信部とを備え、
前記メッセージ配信受付部は、メッセージの配信要求を受け付け、当該メッセージをヘッダ部とメッセージ本文に分割し、ヘッダ部を前記宛先解決部に送信し、メッセージ本文をメッセージ保存部に記憶し、
前記宛先解決部は、受信したヘッダ部に設定された宛先のデバイスが接続されたメッセージ配信部を特定し、特定したメッセージ配信部にヘッダ部を送信し、
前記メッセージ配信部は、ヘッダ部を受信すると、前記メッセージ保存部からメッセージ本文を読み出し、読み出したメッセージ本文とヘッダ部とを結合してメッセージを再構成し、当該メッセージを宛先の各デバイスに配信すること
を特徴とするメッセージ配信システム。
【請求項２】
メッセージ配信システムが行うメッセージ配信方法であって、
前記メッセージ配信システムは、メッセージ配信受付部と、宛先解決部と、複数のメッセージ配信部とを備え、
前記メッセージ配信受付部が、メッセージの配信要求を受け付け、当該メッセージをヘッダ部とメッセージ本文に分割し、ヘッダ部を前記宛先解決部に送信し、メッセージ本文をメッセージ保存部に記憶する受付ステップを、
前記宛先解決部が、受信したヘッダ部に設定された宛先のデバイスが接続されたメッセージ配信部を特定し、特定したメッセージ配信部にヘッダ部を送信する送信ステップを、
前記メッセージ配信部が、ヘッダ部を受信すると、前記メッセージ保存部からメッセージ本文を読み出し、読み出したメッセージ本文とヘッダ部とを結合してメッセージを再構成し、当該メッセージを宛先の各デバイスに配信する配信ステップを行うこと
を特徴とするメッセージ配信方法。
【発明の詳細な説明】
【技術分野】
【０００１】
本発明は、デバイスに対して、メッセージを配信するメッセージ配信システムおよびメッセージ配信方法に関する。
【背景技術】
【０００２】
メッセージ配信システムとして、例えば特許文献１に示す技術がある。特許文献１では、複数のサーバから、複数の通信端末へプッシュ配信を行う際に、トラフィックが増大して、ネットワークが輻輳状態となることを解決するために、配信サーバシステムが配信情報を収集し、収集した情報を用いて通信端末へ配信することで、トラフィックの低減を図っている。
【先行技術文献】
【特許文献】
【０００３】
【特許文献１】特開2003-303153号公報
【発明の概要】
【発明が解決しようとする課題】
【０００４】
しかし、特許文献１では、事前に配信情報を収集しておく必要があり、タイムリーな広告やニュース配信、緊急情報の通知といった即時メッセージを通信端末にプッシュ配信する場合については、適用することができない。また、特許文献１では、動画付のメッセージなど容量が大きいメッセージの配信や、何百万などの膨大な数の通信端末への一斉配信といった配信容量および配信数が大きい場合のトラフィック増大を抑制することについては考慮されていない。
【０００５】
本発明は、上記事情に鑑みてなされたものであり、本発明の目的は、容量が大きなメッセージを多数の宛先に配信する際に生じるトラフィックの増大を抑制するメッセージ配信システムおよびメッセージ配信方法を提供することにある。
【課題を解決するための手段】
【０００６】
上記目的を達成するため、請求項１記載の本発明は、メッセージ配信システムであって、メッセージ配信受付部と、宛先解決部と、複数のメッセージ配信部とを備え、前記メッセージ配信受付部は、メッセージの配信要求を受け付け、当該メッセージをヘッダ部とメッセージ本文に分割し、ヘッダ部を前記宛先解決部に送信し、メッセージ本文をメッセージ保存部に記憶し、前記宛先解決部は、受信したヘッダ部に設定された宛先のデバイスが接続されたメッセージ配信部を特定し、特定したメッセージ配信部にヘッダ部を送信し、前記メッセージ配信部は、ヘッダ部を受信すると、前記メッセージ保存部からメッセージ本文を読み出し、読み出したメッセージ本文とヘッダ部とを結合してメッセージを再構成し、当該メッセージを宛先の各デバイスに配信することを要旨とする。
【０００７】
請求項２記載の本発明は、メッセージ配信システムが行うメッセージ配信方法であって、前記メッセージ配信システムは、メッセージ配信受付部と、宛先解決部と、複数のメッセージ配信部とを備え、前記メッセージ配信受付部が、メッセージの配信要求を受け付け、当該メッセージをヘッダ部とメッセージ本文に分割し、ヘッダ部を前記宛先解決部に送信し、メッセージ本文をメッセージ保存部に記憶する受付ステップを、前記宛先解決部が、受信したヘッダ部に設定された宛先のデバイスが接続されたメッセージ配信部を特定し、特定したメッセージ配信部にヘッダ部を送信する送信ステップを、前記メッセージ配信部が、ヘッダ部を受信すると、前記メッセージ保存部からメッセージ本文を読み出し、読み出したメッセージ本文とヘッダ部とを結合してメッセージを再構成し、当該メッセージを宛先の各デバイスに配信する配信ステップを行うことを要旨とする。
【発明の効果】
【０００８】
本発明によれば、容量が大きなメッセージを多数の宛先に配信する際に生じるトラフィックの増大を抑制するメッセージ配信システムおよびメッセージ配信方法提供することができる。
【図面の簡単な説明】
【０００９】
【図１】本実施形態の一例を示すシステムの全体構成図である。
【図２】本実施形態の他の一例を示すシステムの全体構成図である。
【図３】本発明の実施形態に係るメッセージ配信システムの構成図である。
【図４】メッセージ配信処理のフローチャートである。
【図５】本実施形態におけるトラフックの削減を説明する説明図である。
【発明を実施するための形態】
【００１０】
以下、本発明の実施の形態について、図面を参照して説明する。
【００１１】
図１は、本実施形態におけるシステム構成の一例を示す全体構成図である。図１に示すシステムは、メッセージ配信要求システム１と、メッセージ配信システム２と、複数のデバイス３とを有する。メッセージ配信要求システム１は、メッセージの配信要求をメッセージ配信システム２に送信する。メッセージ配信システム２は、メッセージの配信元であるメッセージ配信要求システム１からメッセージの配信要求を受けて、当該メッセージを少なくとも１つのデバイス３へ配信する。
【００１２】
デバイス３は、メッセージ配信要求システム１が送信したメッセージを、メッセージ配信システム２を介して受信する。デバイス３には、携帯端末、STB（セットトップボックス）、タブレット端末、PC等の様々な通信可能な装置を用いることができる。
【００１３】
図２は、本実施形態におけるシステム構成の他の一例を示す全体構成図である。図２に示すように、メッセージの配信元は、デバイス３であってもよい。この場合、メッセージ配信システム２は、メッセージの配信元であるデバイス３から、メッセージの配信要求を受け付けて、当該メッセージを少なくとも１つの配信先のデバイス３へ配信する。すなわち、図２の場合、メッセージ配信システム２は、デバイス‐デバイス間のメッセージ転送システムとして機能する。
【００１４】
図３は、本実施形態のメッセージ配信システム２の構成を示す構成図である。図示するメッセージ配信システム２は、メッセージ配信受付部２１と、宛先解決部２２と、メッセージ保存部２３と、複数のメッセージ配信部２４とを備える。
【００１５】
本実施形態では、各部２１〜２４は、例えばサーバなどのコンピュータ装置であって、図示しないメッセージ配信システム２内のネットワークを介して、メッセージ配信受付部２１と、宛先解決部２２およびメッセージ保存部２３とが接続され、宛先解決部２２と各メッセージ配信部２４とが接続され、各メッセージ配信部２４とメッセージ保存部２３とが接続されるものとする。
【００１６】
また、本実施形態のメッセージ配信システム２では、例えばプッシュ配信など、多くのデバイス３に即時にメッセージを配信することを可能にするために、複数のメッセージ配信部２４を備え、デバイス３へのメッセージの配信を各メッセージ配信部２４が分散して行う。なお、各デバイス３は、いずれかのメッセージ配信部２４に、外部のネットワークを介して接続（または収容）されているものとする。
【００１７】
メッセージ配信受付部２１は、メッセージ配信要求システム１（またはデバイス３）からメッセージの配信要求を受け付け、当該メッセージをヘッダ部とメッセージ本文に分割し、ヘッダ部を宛先解決部２２に送信し、メッセージ本文をメッセージ保存部２３に記憶する。
【００１８】
宛先解決部２２は、受信したヘッダ部に設定された宛先のデバイス３が接続されたメッセージ配信部２４を特定し、特定したメッセージ配信部２４にヘッダ部を送信する。メッセージ保存部２３には、メッセージ本文が記憶される。
【００１９】
メッセージ配信部２４は、ヘッダ部を受信すると、メッセージ保存部２３からメッセージ本文を読み出し、読み出したメッセージ本文とヘッダ部とを結合してメッセージを再構成し、当該メッセージを宛先の各デバイス３に配信する。
【００２０】
上記説明したメッセージ配信システム２は、例えば、ＣＰＵと、メモリと、ＨＤＤ等の外部記憶装置などを備えた汎用的なコンピュータシステムを用いることができる。このコンピュータシステムにおいて、ＣＰＵがメモリ上にロードされたメッセージ配信システム２用のプログラムを実行することにより、メッセージ配信システム２の各機能が実現される。また、メッセージ配信システム２用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２１】
次に、本実施形態の処理について説明する。
【００２２】
図４は、本実施形態のメッセージ配信システム２のメッセージ配信処理のフローチャートである。
【００２３】
メッセージ配信受付部２１は、メッセージ配信要求システム１が送信したメッセージの配信要求を受け付ける（Ｓ１１）。なお、メッセージは、動画や画像などが含まれるメッセージを扱うことができるように、バイナリデータであってもよい。また、メッセージのヘッダ部には、宛先として、各デバイス３に紐付けられたID（各デバイス３を識別するための識別情報）が指定されている。ここでは、デバイス３に紐付けられたIDを、ユニットIDとする。また、宛先には、配信先の各デバイス３のユニットIDをそれぞれ指定してもよく、また、全てのデバイス３への配信を意味するワイルドカード文字列を宛先として指定してもよい。
【００２４】
そして、メッセージ配信受付部２１は、メッセージの配信要求を受け付けると、メッセージIDを払出し、受け付けたメッセージを宛先が設定されているヘッダ部と、メッセージ本文とに分離する（Ｓ１２）。ヘッダ部は、宛先などの配信処理に関する情報を含み、ヘッダ部の容量は、例えば動画付きメッセージのメッセージ本文と比較すると非常に小さい。
【００２５】
そして、メッセージ配信受付部２１は、ヘッダ部のチェック処理（例えば、フォーマットチェック等）を行い、正常であれば、ヘッダ部とＳ１２で払い出したメッセージIDとを宛先解決部２２に送信する。また、メッセージ配信受付部２１は、メッセージ本文と、ヘッダ部とＳ１２で払い出したメッセージIDとを対応付けてメッセージ保存部２３に記憶する（Ｓ１３）。
【００２６】
宛先解決部２２は、メッセージ配信受付部２１からメッセージIDが付加されたヘッダ部を受信すると、当該ヘッダ部に設定された宛先（ユニットID）の各デバイス３が、どのメッセージ配信部２４に接続（または収容）されているかを特定し、特定した各メッセージ配信部２４にヘッダ部およびメッセージIDを送信する（Ｓ１４）。
【００２７】
なお、各デバイス３がどのメッセージ配信部２４に収容されているかは、例えば、ユニットIDとメッセージ配信部２４のIDとを対応付けた対応テーブルを、あらかじめ図示しない記憶部に記憶しておくことが考えられる。この場合、宛先解決部２２は、対応テーブルを参照することで、ヘッダ部に宛先として指定された各ユニットIDのデバイス３が接続されたメッセージ配信部２４を特定する。
【００２８】
また、ヘッダ部に宛先として指定された複数のユニットIDのデバイス３が、複数のメッセージ配信部２４にまたがって接続されている場合、あるいは、宛先に全てのデバイス３への配信を意味するワイルドカード文字列が指定されている場合は、宛先解決部２２は、複数のメッセージ配信部２４にヘッダ部およびメッセージIDを送信する。この場合、宛先解決部２２は、各メッセージ配信部２４毎にヘッダ部の宛先を編集し、各メッセージ配信部２４用に編集したヘッダ部を、対応するメッセージ配信部２４に送信する。すなわち、特定した各メッセージ配信部２４毎に、ヘッダ部に記載された宛先の中で当該メッセージ配信部２４に接続されたデバイス３のユニットIDのみを抽出し、抽出したユニットIDを宛先とするヘッダ部を生成する。
【００２９】
各メッセージ配信部２４は、宛先解決部２２からヘッダ部およびメッセージIDを受信すると、メッセージ保存部２３にアクセスし、メッセージ保存部２３に保存された、当該メッセージIDに対応するメッセージ本文を取得する（Ｓ１５）。
【００３０】
そして、メッセージ配信部２４は、宛先解決部２２から受信したヘッダ部に、メッセージ保存部２３から取得したメッセージ本文を結合して、メッセージを再構成（復元）し、再構成したメッセージを宛先として指定された各ユニットIDのデバイス３に配信する（Ｓ１６）。具体的には、メッセージ配信部２４は、ヘッダ部に宛先として設定されたユニットID（デバイス３）毎に、当該ユニットIDを宛先とするヘッダ部とメッセージ本文を結合してメッセージを再構成し、宛先のユニットIDのデバイス３に配信する。
【００３１】
図４は、本実施形態のメッセージ配信システム２内におけるトラフィックの低減を具体的に示す図である。
【００３２】
図４（ａ）は、メッセージをヘッダ部とメッセージ本文に分割しない場合のトラフィックを説明する図であって、図４（ｂ）は、本実施形態におけるメッセージをヘッダ部とメッセージ本文に分割した場合のトラフィックを説明する図である。
【００３３】
ここでは、１メッセージのトラフィック（流通量、メッセージサイズ）を、１０とし、ヘッダ部のみのトラフィックを１とする。また、図４（ａ）および図４（ｂ）のメッセージ配信システムでは、ともに３つのメッセージ配信部を備え、各メッセージ配信部は１０個のデバイスを接続しているものとする。そして、この全てのデバイス（３０個）に、メッセージを配信する場合を例に、以下説明する。
【００３４】
図４（ａ）では、メッセージ配信受付部が、受け付けたメッセージをそのまま宛先解決部に送信する。このとき、メッセージ配信受付部と宛先解決部の間のネットワークのトラフィックは、１０である。
【００３５】
宛先解決部は、メッセージを受信し、宛先のデバイス毎にメッセージを生成し、対応するメッセージ配信部に送信する。ここでは、メッセージの宛先には、各メッセージ配信部に接続された全デバイスが設定されている。そのため、宛先解決部と各メッセージ配信部との間のネットワークのトラフィックは、１０×１０デバイスである。
【００３６】
したがって、図４（ａ）のトラフィック総量は、３１０（=10＋10×10＋10×10＋10×10）である。
【００３７】
図４（ｂ）では、メッセージ配信受付部が、受け付けたメッセージをヘッダ部とメッセージ本文に分割して宛先解決部およびメッセージ保存部にそれぞれ送信する。このとき、メッセージ配信受付部と宛先解決部の間のネットワークのトラフィックはヘッダ部の１で、メッセージ配信受付部とメッセージ保存部の間のネットワークのトラフィックはメッセージ本文の１０である。
【００３８】
宛先解決部は、ヘッダ部を受信し、対応するメッセージ配信部にヘッダ部を送信する。ここでは、３つのメッセージ配信部にヘッダ部を送信するため、宛先解決部と各メッセージ配信部との間のネットワークのトラフィックは、１×３である。
【００３９】
各メッセージ配信部は、ヘッダ部を受信すると、メッセージ保存部からメッセージ本文を取得する。このときの各メッセージ配信部とメッセージ保存部との間のネットワークのトラフィックは、メッセージ本文の１０である。
【００４０】
したがって、図４（ｂ）の場合のメッセージ配信システム内のトラフィック総量は、４４（=1＋10＋1×3＋10×3）である。
【００４１】
以上説明したように、本実施形態のメッセージ配信システムでは、受け付けたメッセージをヘッダ部とメッセージ本文に分割し、メッセージ本文は一旦、メッセージ保存部に保存する。そして、メッセージの宛先決定にはヘッダ部のみを利用し、ヘッダ部のみを宛先のデバイスが接続されたメッセージ配信部に送信し、デバイス３への配信時にメッセージ保存部からメッセージ本文を読み出してメッセージを再生成する。
【００４２】
これにより、本実施形態では、メッセージ配信システム内のトラフィックの増大を抑えて、効率的な配信を実現することができる。すなわち、本実施形態では、各メッセージ配信サーバは、接続されている複数のデバイスに一斉にメッセージを配信する場合、一回だけメッセージ保管部からメッセージ本文を取得し、配信先のデバイスの数だけメッセージを再生成して配信することで、動画付のメッセージなど容量が大きなメッセージを、何百万の膨大な数のデバイスへ配信する際に生じるトラフィックの増大を抑制することができる。
【００４３】
なお、本発明は上記実施形態に限定されるものではなく、その要旨の範囲内で数々の変形が可能である。
【符号の説明】
【００４４】
１  ：メッセージ配信要求システム
２  ：メッセージ配信システム
２１：メッセージ配信受付部
２２：宛先解決部
２３：メッセージ保存部
２４：メッセージ配信部
３  ：デバイス
【図１】
2014174860.tif 000003
【図２】
2014174860.tif 000004
【図３】
2014174860.tif 000005
【図４】
2014174860.tif 000006
【図５】
2014174860.tif 000007
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
メッセージ配信システムであって、
メッセージ配信受付部と、宛先解決部と、複数のメッセージ配信部とを備え、
前記メッセージ配信受付部は、メッセージの配信要求を受け付け、当該メッセージをヘッダ部とメッセージ本文に分割し、ヘッダ部を前記宛先解決部に送信し、メッセージ本文をメッセージ保存部に記憶し、
前記宛先解決部は、受信したヘッダ部に設定された宛先のデバイスが収容されたメッセージ配信部を特定し、特定したメッセージ配信部毎に、当該メッセージ配信部に収容されたデバイスの宛先のみを抽出してヘッダ部を編集し、編集したヘッダ部を対応するメッセージ配信部に送信し、
前記メッセージ配信部は、編集されたヘッダ部を受信すると、前記メッセージ保存部からメッセージ本文を読み出し、読み出したメッセージ本文と編集されたヘッダ部とを結合してメッセージを再構成し、当該メッセージを編集されたヘッダ部の宛先の各デバイスに配信すること
を特徴とするメッセージ配信システム。
【請求項２】
請求項１記載のメッセージ配信システムであって、
前記メッセージ配信受付部は、前記メッセージの配信要求を受け付けると、メッセージＩＤを払い出し、前記ヘッダ部を前記メッセージＩＤとともに前記宛先解決部に送信し、前記メッセージ本文を前記メッセージＩＤと対応付けて前記メッセージ保存部に記憶し、
前記メッセージ配信部は、前記メッセージＩＤとともに編集されたヘッダ部を受信すると、前記メッセージ保存部から前記メッセージＩＤに対応するメッセージ本文を読み出し、読み出したメッセージ本文と編集されたヘッダ部とを結合してメッセージを再構成すること
を特徴とするメッセージ配信システム。
【請求項３】
メッセージ配信システムが行うメッセージ配信方法であって、
前記メッセージ配信システムは、メッセージ配信受付部と、宛先解決部と、複数のメッセージ配信部とを備え、
前記メッセージ配信受付部が、メッセージの配信要求を受け付け、当該メッセージをヘッダ部とメッセージ本文に分割し、ヘッダ部を前記宛先解決部に送信し、メッセージ本文をメッセージ保存部に記憶する受付ステップを、
前記宛先解決部が、受信したヘッダ部に設定された宛先のデバイスが収容されたメッセージ配信部を特定し、特定したメッセージ配信毎に、当該メッセージ配信部に収容されたデバイスの宛先のみを抽出してヘッダ部を編集し、編集したヘッダ部を対応するメッセージ配信部に送信する送信ステップを、
前記メッセージ配信部が、編集されたヘッダ部を受信すると、前記メッセージ保存部からメッセージ本文を読み出し、読み出したメッセージ本文と編集されたヘッダ部とを結合してメッセージを再構成し、当該メッセージを編集されたヘッダ部の宛先の各デバイスに配信する配信ステップを行うこと
を特徴とするメッセージ配信方法。
【請求項４】
請求項３記載のメッセージ配信方法であって、
前記受付ステップにおいて、前記メッセージ配信受付部は、前記メッセージの配信要求を受け付けると、メッセージＩＤを払い出し、前記ヘッダ部を前記メッセージＩＤとともに前記宛先解決部に送信し、前記メッセージ本文を前記メッセージＩＤと対応付けて前記メッセージ保存部に記憶し、
前記配信ステップにおいて、前記メッセージ配信部は、前記メッセージＩＤとともに編集されたヘッダ部を受信すると、前記メッセージ保存部から前記メッセージＩＤに対応するメッセージ本文を読み出し、読み出したメッセージ本文と編集されたヘッダ部とを結合してメッセージを再構成すること
を特徴とするメッセージ配信方法。
【手続補正２】
【補正対象書類名】明細書
【補正対象項目名】０００６
【補正方法】変更
【補正の内容】
【０００６】
上記目的を達成するため、請求項１記載の本発明は、メッセージ配信システムであって、メッセージ配信受付部と、宛先解決部と、複数のメッセージ配信部とを備え、前記メッセージ配信受付部は、メッセージの配信要求を受け付け、当該メッセージをヘッダ部とメッセージ本文に分割し、ヘッダ部を前記宛先解決部に送信し、メッセージ本文をメッセージ保存部に記憶し、前記宛先解決部は、受信したヘッダ部に設定された宛先のデバイスが収容されたメッセージ配信部を特定し、特定したメッセージ配信部毎に、当該メッセージ配信部に収容されたデバイスの宛先のみを抽出してヘッダ部を編集し、編集したヘッダ部を対応するメッセージ配信部に送信し、前記メッセージ配信部は、編集されたヘッダ部を受信すると、前記メッセージ保存部からメッセージ本文を読み出し、読み出したメッセージ本文と編集されたヘッダ部とを結合してメッセージを再構成し、当該メッセージを編集されたヘッダ部の宛先の各デバイスに配信することを要旨とする。
【手続補正３】
【補正対象書類名】明細書
【補正対象項目名】０００７
【補正方法】変更
【補正の内容】
【０００７】
請求項３記載の本発明は、メッセージ配信システムが行うメッセージ配信方法であって、前記メッセージ配信システムは、メッセージ配信受付部と、宛先解決部と、複数のメッセージ配信部とを備え、前記メッセージ配信受付部が、メッセージの配信要求を受け付け、当該メッセージをヘッダ部とメッセージ本文に分割し、ヘッダ部を前記宛先解決部に送信し、メッセージ本文をメッセージ保存部に記憶する受付ステップを、前記宛先解決部が、受信したヘッダ部に設定された宛先のデバイスが収容されたメッセージ配信部を特定し、特定したメッセージ配信毎に、当該メッセージ配信部に収容されたデバイスの宛先のみを抽出してヘッダ部を編集し、編集したヘッダ部を対応するメッセージ配信部に送信する送信ステップを、前記メッセージ配信部が、編集されたヘッダ部を受信すると、前記メッセージ保存部からメッセージ本文を読み出し、読み出したメッセージ本文と編集されたヘッダ部とを結合してメッセージを再構成し、当該メッセージを編集されたヘッダ部の宛先の各デバイスに配信する配信ステップを行うことを要旨とする。